(57)【要約】【課題】本体に縦長の表示画面をもつ映像再生装置において、テレビなどの外部表示機器に映像を出力する際に、本体の縦長の表示画面と外部表示機器へ出力する横長映像の表示用の映像信号を手動で切換る手間がかかるという操作方法が課題となる。【解決手段】外部接続端子への挿抜を検出し、端子への接続がされている場合は、横長の映像を出力するように、映像の向きを自動的に切り換える。【選択図】  図１
2005045296.tif 000002
【特許請求の範囲】
【請求項１】
映像信号を表示する表示手段と、前記映像信号の表示方向を変える映像回転手段と、前記映像信号を外部機器へ出力する出力手段と、それらを制御する制御手段と、を備える映像再生装置であって、
前記出力手段と外部機器との接続状態を検出する接続検出手段を備え、
前記制御手段は、前記接続検出手段の検出結果に基づき、前記映像回転手段を制御することを特徴とする映像再生装置。
【請求項２】
請求項１記載の映像再生装置において、前記映像信号を表示するための縦長形状の表示手段を備え、前記映像信号が横長の映像信号の場合で、前記接続検出手段により外部機器と接続がされていないと検出した場合は、前記映像回転手段により、横長の映像信号を、縦長表示の映像信号に変換して前記表示手段に縦長表示する前記第一の表示形態とし、前記接続検出手段により外部機器と接続がされていると検出した場合には、前記映像信号を横長表示で前記表示手段に表示する第二の表示形態となることを特徴とする映像再生装置。
【請求項３】
請求項１記載の映像再生装置において、
映像を撮影する撮影手段と、
前記撮影手段で撮影された映像信号を記録する記録手段と、を備え、
前記表示手段は、前記撮影手段で撮影中には、横長画面として用いられ、前記記録手段に記録された映像信号を再生中には、縦長画面として用いられ、
前記制御手段は、
前記映像回転手段を用いて、
前記記録手段に記録された映像信号を再生中に、
前記接続検出手段により外部機器と接続されていると検出した場合は、前記記録手段で記録された映像信号の表示方向を横長表示とし、
前記接続検出手段により外部機器と接続されていると検出しなかった場合は、前記記録手段で記録された映像信号の表示方向を、前記映像回転手段により縦長信号に変換した映像信号を、前記表示手段に表示することを特徴とする映像再生装置。
【発明の詳細な説明】
【０００１】
【発明の属する技術分野】
本発明は、表示画面を持つ映像再生装置に関し、特に外部表示機器へ出力する場合の映像信号の画面表示方向の制御に関する。
【０００２】
【従来の技術】
近年、本体に液晶パネルなどを使用した表示画面を備えたデジタルビデオカメラが普及している。本体に備え付けられた表示画面で、撮影した映像を見ることは勿論可能であり、加えて、テレビなどの外部表示機器で映像を見ることが可能なように、映像出力端子が付いているものが多い。このような、デジタルビデオカメラで記録、再生される映像信号は、ＮＴＳＣ（Ｎａｔｉｏｎａｌ  Ｔｅｌｅｖｉｓｉｏｎ  Ｓｙｓｔｅｍ  ｃｏｍｍｉｔｔｅｅ）方式などの規格に即した信号であることが一般的である。また、本体に備え付けられた液晶パネルなどの表示画面には、ＮＴＳＣ方式などの規格に即した表示形式のものが使用されている。すなわち、ＮＴＳＣ方式などの規格では、映像信号は、縦横のアスペクト比が横４：縦３のいわゆる横長であるため、本体の液晶パネルなどの表示画面も横長のものが使用されており、映像出力端子にも横長の映像信号を出力している。
【０００３】
また一方で、近年の携帯電話や携帯情報端末（Ｐｅｒｓｏｎａｌ  Ｄｉｇｉｔａｌ  Ａｓｓｉｓｔａｎｔ、以下ＰＤＡと称す）などで静止画像や動画像が再生できるものも増えてきている。携帯電話やＰＤＡでは縦長の表示画面が採用されている場合が多く、この場合、横長の映像信号を縦長の表示画面に合うように変換して表示している。このように映像を見る形態も多様化してきており、通常の使用状態では縦長の表示となるような形状をした映像再生装置が注目を集めている。
【０００４】
通常、映像ソースとなるカメラ等からの映像は上述したように横長の映像信号であるので、横長となる方向で画面に表示することとなるが、表示画面を縦長の状態で見る形態で使用する映像再生装置の場合は、映像の向きが９０°回転した状態で見えてしまい、ユーザーには見にくい表示状態となる。このため、映像を常に９０°回転させた縦長の映像信号の状態に変換して表示する必要がある。
【０００５】
だが一方で、前記のように、テレビなどの外部表示機器への映像出力端子を持つ場合、縦長画面で適正に見られるように映像を回転させていると、本体の縦長画面では適正に表示されるが、横長画面を持つ外部表示機器では、映像は適正な方向から９０°回転された状態で見えるため、ユーザーにとって見にくい状態となる。
【０００６】
また、デジタルビデオカメラや携帯電話、ＰＤＡのような携帯機器は小型、軽量化が重要であり、回路を極力少なくする必要がある。そのため、映像信号を処理する回路は一つとなっており、その映像出力が表示画面や映像出力端子に供給されている。すなわち、縦長画面に適正に表示がされるように映像を回転させている場合は、表示画面と映像出力端子には縦長の映像信号が出力されている。ここで、映像出力端子に外部表示機器を接続した場合には、映像出力端子には縦長の映像信号が出力されているため通常のテレビ等では、映像の表示向きが適正な方向から９０°回転された状態で見える表示されてしまうという問題があった。
【０００７】
デジタルスチルカメラにおける上記のような課題を解決する従来技術では、映像の表示の方向を９０°回転させるための回転操作ボタンを設け、ユーザーのボタン操作によって、映像を回転させる機能を持たせることで解決している。このようにボタン操作により、映像を適正な表示方向に変更することができる。尚、該回転操作ボタンは、映像出力端子が接続されているか否かによって、本体のボタンの役割を変更することで、元々使用していたボタンを兼用できるようにもなっている。（例えば、特許文献１参照）
【０００８】
【特許文献１】
特開２００１―３２６８４２号公報
【０００９】
【発明が解決しようとする課題】
上述したように、テレビなどの外部表示機器に出力する場合は、横長の映像信号でないと正しい向きに表示ができないため、本装置の表示画面の表示方向がどのような状態であっても外部表示機器を映像接続端子に接続したときには横長の映像信号を出力する必要がある。
【００１０】
しかしながら、上記特許文献１記載の従来技術では、ボタン操作にて横長になるように映像の表示方向の回転を行わなくてはならず、使い勝手の良くないものとなってしまうという問題がある。
【００１１】
本発明はかかる問題を解決するものであって、適正な表示を行うことができる映像再生装置を提供することを目的とする。
【００１２】
【課題を解決するための手段】
上記問題点を解決するために本発明では、映像信号を表示する表示手段と、前記映像信号の表示方向を変える映像回転手段と、前記映像信号を外部機器へ出力する出力手段と、それらを制御する制御手段と、を備える映像再生装置であって、前記出力手段と外部機器との接続状態を検出する接続検出手段を備え、
前記制御手段は、前記接続検出手段の検出結果に基づき、前記映像回転手段を制御することを特徴とする。これにより、外部表示機器を接続した際に、ユーザーが特別な操作をすることなく、外部表示機器において適正な表示方向で表示することが可能となる。
【００１３】
さらに、前記映像信号を表示するための縦長形状の表示手段を備え、前記映像信号が横長の映像信号の場合で、前記接続検出手段により外部機器と接続がされていないと検出した場合は、前記映像回転手段により、横長の映像信号を、縦長表示の映像信号に変換して前記表示手段に縦長表示する前記第一の表示形態とし、前記接続検出手段により外部機器と接続がされていると検出した場合には、前記映像信号を横長表示で前記表示手段に表示する第二の表示形態となることを特徴とする。これにより、横長の映像信号の表示において、外部表示機器を接続した際の使い勝手が向上する。
【００１４】
さらに、映像を撮影する撮影手段と、前記撮影手段で撮影された映像信号を記録する記録手段と、を備え、前記表示手段は、前記撮影手段で撮影中には、横長画面として用いられ、前記記録手段に記録された映像信号を再生中には、縦長画面として用いられ、前記制御手段は、前記映像回転手段を用いて、前記記録手段に記録された映像信号を再生中に、前記接続検出手段により外部機器と接続されていると検出した場合は、前記記録手段で記録された映像信号の表示方向を横長表示とし、前記接続検出手段により外部機器と接続されていると検出しなかった場合は、前記記録手段で記録された映像信号の表示方向を、前記映像回転手段により縦長信号に変換した映像信号を、前記表示手段に表示することを特徴とする。これにより、外部表示機器と接続された時には自動的に横長の映像信号を出力することができ、使い勝手が向上する。
【００１５】
【発明の実施の形態】
以下、図面を参照して、本発明をＮＴＳＣ方式の映像信号をＭＰＥＧ２方式で画像圧縮して記録するデジタルビデオカメラの再生動作に適用した場合を例に、実施の形態を説明する。
【００１６】
本実施例では、撮影時は従来のビデオカメラと同様に、本体の表示画面は横長の状態で使用し、再生時は、携帯電話の様に、表示画面を縦長に使用して映像を表示する形態について説明する。なお、本実施例ではデジタルビデオカメラへの適用例を示しているが、デジタルスチルカメラ、あるいは、映像再生用のポータブル画像ビューアーなどへの適用も可能である。
【００１７】
図７は、本発明によるデジタルビデオカメラの概観図の一実施例を示す。本発明によるデジタルビデオカメラの使用形態を図７を用いて説明する。本体には、カメラ部１８、マイクロフォン１９、スピーカー２０、表示画面２２、記録開始／停止ボタン２３、操作キー２１が備えられている。
【００１８】
図７（Ａ）ならびに図７（Ｂ）に撮影時の形態を示す。カメラ部１８を被写体の方向に向け、記録開始／停止ボタン２３を押すと記録が開始される。もう一度、記録開始／停止ボタン２３を押すと記録が停止する。音声はマイクロフォン１９から入力され、映像とあわせて記録される。表示画面２２は、カメラ部１８から入力される映像が表示されている。表示画面２２は、横長の状態で使用される。
【００１９】
次に、図７（Ｃ）に再生時の形態を示す。撮影時とは異なり、再生操作等を操作キー２１で行なうようにしているため、表示画面２２は縦長の状態で使用される。表示画面２２には、再生映像が表示される。また、再生の開始／停止や、映像の早送りや巻き戻しといった各種操作は、操作キー２１を押すことで行われる。音声はスピーカー２０から出力される。
【００２０】
図１は、本発明をデジタルビデオカメラに適用した際のブロック図の一実施例である。動作及び信号の流れを図１を用いて説明する。
【００２１】
まず、記録時における動作を説明する。ＣＣＤ撮像素子１で光電変換された映像信号が、ＣＤＳ／ＡＧＣ／ＡＤＣ２において、映像信号の二重相関サンプリングと、ゲイン調整、デジタル信号への変換が行われ、カメラ信号処理３へ入力される。カメラ信号処理３への入力信号は使用するＣＣＤ撮像素子１の種類によって、原色信号（赤、緑、青）や、補色信号（シアン、マゼンタ、イエロー）となるため、カメラ信号処理３において、一般的なビデオ信号の形態である、輝度信号と色差信号への変換等の処理を行う。ここから、記録経路と表示経路の２系統に分かれる。表示経路については、カメラ信号処理３の出力は、ＬＣＤ（Ｌｉｑｕｉｄ  Ｃｒｙｓｔａｌ  Ｄｉｓｐｌａｙ）ドライバ１１に入力され、ここで、ＬＣＤパネル１２用へ信号が変換され、ＬＣＤパネル１２で表示がされる。また、ＮＴＳＣエンコーダ１３へ入力された信号は、ここでＮＴＳＣ方式の映像信号に変換され、映像出力端子１４から出力される。以上の制御はカメラ制御マイコン４により行われる。記録経路は、カメラ信号処理３から、ＭＰＥＧ２ＣＯＤＥＣ５へ信号が入力される。ここでシステム内部バス６を介してメモリ８を使用しながらデータの圧縮が行われる。圧縮後のデータは記録制御９を介して記録媒体１０に記録される。以上の記録処理はシステムコントロールマイコン７によって制御される。
【００２２】
ここで、本実施例では、記録信号はＭＰＥＧ２方式の規格に準拠しており、横長の映像信号である。そのため、記録時はＬＣＤパネル１２は横長の状態で使用し、横長の画像が横長のＬＣＤパネル１２に表示されている。また、映像出力端子１４からの出力信号も横長の信号であり、端子挿抜検出１５の結果によらず、映像出力端子１４からはＮＴＳＣ方式に準拠した横長の映像信号が常に供給されている。
【００２３】
次に、再生時の動作について説明する。このとき、通常はＬＣＤパネル１２をは縦長の状態で使用する。尚、ここで操作キー２１の操作により、縦長表示または横長表示の切り換えをできるようにしても構わない。
【００２４】
まず、映像出力端子１４には外部表示機器が接続されておらずＬＣＤパネル１２のみに表示する場合の動作について説明する。記録媒体１０に記録されている映像データを記録制御９を介して読み出し、ＭＰＥＧ２ＣＯＤＥＣ５において映像データの伸張が行われる。ここで、映像データは横長の映像信号であるため、縦長表示の映像信号に変換するため回転処理１６において映像信号の回転処理を行う。回転処理１６では、映像データの並べ替えを行うことで、映像信号を回転させる。具体的な回転処理は後述する。回転処理を施された映像データはカメラ信号処理３へ入力され、ここからＬＣＤドライバ１１を介してＬＣＤパネル１２へ表示される。また、ＮＴＳＣエンコーダ１３を介して映像出力端子１４へ供給される。尚、再生された画面表示の一実施例を図２で後述する。
【００２５】
ところで、縦長表示時の画面に横長の映像信号を表示する場合は、映像信号を９０°回転するだけでは、表示画面からはみ出してしまうため、縮小して全体を表示するか、任意の領域を削除して、映像信号の無い残りの部分は黒とすることが必要となる。このため、縮小処理または領域の削除及び残りの部分を黒にする処理は、ＭＰＥＧ２ＣＯＤＥＣ５内の縮小処理１７で行われる。具体的には、ＭＰＥＧ２ＣＯＤＥＣ５において、映像信号は一端メモリ８に書き込まれるが、メモリ上の映像信号データを加減算することで、映像の縮小処理が可能である。例えば、隣り合う映像データを足して２で割れば、１／２サイズへの縮小が可能である。また、任意の領域の削除処理は、ＭＰＥＧ２ＣＯＤＥＣ５においてメモリ８に書き込む領域を変えることで実現できる。また、映像信号のない残りの部分の領域を黒信号にするには、メモリ８上の該当する部分に黒信号を書き込めばよい。
【００２６】
このように、回転処理１６による映像回転処理及び縮小処理１７による縮小処理または領域の削除及び残りの部分を黒にする処理を行っているので、ＭＰＥＧ２ＣＯＤＥＣ５からの出力信号は、ＭＰＥＧ２方式の規格に準拠した横長の映像信号が出力されることになる。ここで、この回転及び縮小処理された映像信号は、横長の映像信号を縦長表示用の映像信号に変換しているため、縦長表示であるＬＣＤパネル１２の表示は適正となるが、もしこの映像信号をそのままテレビに入力した場合は９０°回転した見づらい画面となる。
【００２７】
次に、映像出力端子１４に外部表示機器との接続ケーブル（図示せず）が接続された場合の動作について説明する。この場合は、端子挿抜検出１５により接続されたことを検出しシステムコントロールマイコン７に通知する。この時は、システムコントロールマイコン７は記録媒体１０に記録されている映像データを記録制御９を介して読み出し、ＭＰＥＧ２ＣＯＤＥＣ５において映像データの伸張を行うが、回転処理１６及び縮小処理１７においては、映像の回転、縮小処理は行わないようＭＰＥＧ２ＣＯＤＥＣ５を制御する。伸張された映像データはカメラ信号処理３へ入力され、ここからＬＣＤドライバ１１を介してＬＣＤパネル１２で表示される。また、同時にＮＴＳＣエンコーダ１３を介して映像出力端子１４へ出力される。ＬＣＤパネル１２に表示する映像信号は横長の画像がそのまま表示され、映像出力端子１４からの出力信号は、横長の映像信号となる。これにより、ＬＣＤパネル１２の表示の方向がどちらであっても、自動的に接続したテレビ等の外部表示機器には横長の画像が表示されることになり、使い勝手が向上する。尚、外部表示機器が接続された場合のＬＣＤパネル１２及び外部表示機器での表示画像の一実施例を図４で後述する。
【００２８】
図２は、再生時における映像出力端子１４には接続されておらずＬＣＤパネル１２のみに表示する場合の縦長の表示画面への映像表示の一実施例を示す。ＬＣＤパネル１２に表示される表示画像を図２を用いて説明する。図２（Ａ）は、記録されている映像信号を示しており横長の映像信号である。図２（Ｂ）は、横長の映像信号（Ａ）を９０°回転し全体を表示するために縮小及び残りの部分を黒くする処理をした映像信号を縦長状態の画面に表示した例を示している。図２（Ｃ）は、横長の映像信号（Ａ）を９０°回転し任意の領域を削除（図中の斜線部分）及び残りの部分を黒くする処理をした映像信号を縦長状態の画面に表示した例を示している。
【００２９】
図４は、外部表示機器が接続された場合の本体の縦長の表示画面と外部表示機器への映像表示の一実施例を示す。本体のＬＣＤパネル１２及び外部表示機器での表示画像を図４を用いて説明する。図４（Ａ）は、記録されている映像信号を示しており横長の映像信号である。図４（Ｂ）は、外部表示機器が接続されていない場合で縦長画面に映像信号（Ａ）を９０°回転し全体を表示するために縮小及び残りの部分を黒くする処理をした映像信号を縦長状態の画面い表示した例を示している。尚、このとき、外部表示機器は接続されていないため、本体のＬＣＤパネル１２で正しく表示がされていれば良い。
【００３０】
次に、外部表示機器が接続されている場合の本体のＬＣＤパネル１２での表示画像は、図４（Ｃ）の状態となる。このとき、映像の回転、縮小処理は行われないため、画像は表示画面を横長に見たときに適正となる状態で表示される。つまり、縦長の状態からすると、映像が９０°回転した状態で表示がされることになる。このときは、前述の様に、本体のＬＣＤパネル１２においては、表示される向きが９０°回転されたものとなるが、特に本体が大型でない限り、本体の向きを持ち替えることで、本体の表示画面において適正な表示方向で見ることが可能である。図４（Ｄ）は、外部表示機器に表示される表示画像を示しており、画像は表示画面を横長に見たときに適正となる状態で表示される。
【００３１】
次に、本発明による映像出力端子１４への接続の有無による映像の回転処理の流れを図３を用いて説明する。図３は、本発明による映像出力端子１４の接続検出による映像回転制御の処理のフローチャートの一実施例を示す。この処理は記録もしくは再生中に所定の周期に従い定期的に（例えば１／６０秒毎に）実行される。
【００３２】
まず、Ｓ１において再生状態かの判定を行う。再生状態でない場合は、Ｓ３へ進み、映像出力端子１４への接続を問わず、常に横長の状態で本体表示及び外部表示機器への出力を行うため映像信号の回転処理は行わない。Ｓ１で再生状態である場合は、Ｓ２に進み、ここで映像出力端子１４にケーブルが接続されているか否かを判定する。判定は端子挿抜検出１５の結果を使用して行い、接続がされている場合はＳ３へ進み、横長の状態で本体表示及び外部表示機器への出力を行うため映像信号の回転処理は行わない。すなわち、Ｓ３では、回転処理１６及び縮小処理１７での処理を停止させるように制御する。Ｓ２で外部端子の接続がされていない場合はＳ４へ進み、映像を９０°回転させる。このとき、回転処理１６で９０°回転させるように制御し、映像信号の回転を行う。その後、縮小処理１７で上述したように縮小または削除と残りの部分を黒くする処理を行なう。
【００３３】
以上により、映像出力端子１４にケーブルが接続されると、自動的に外部表示機器での表示が好適となるように映像信号が出力される。これにより、特別なボタン操作などを必要とせずに、ユーザーの手を煩わすことなく、外部表示機器へ適正な表示への切り替えが行われ、使い勝手が向上する。
【００３４】
尚、本実施例では、外部表示機器との接続を検出するための接続検出手段として、接続端子の挿入、抜去を用いて検出する端子挿抜検出１５で説明したが、検出方法はこれに限るものではないことは言うまでもない。例えば、信号により接続されたことを検出する方法や別の端子により接続を検出する方法等接続を検出することのできる方法であれば実現可能である。
【００３５】
続いて、回転処理１６において行なわれる回転処理ついて図５及び図６を用いて説明する。映像の回転処理としては、一般に回転処理用のメモリを持ち、一度メモリに映像データを書き込み、それを順番を変えて読み出すことで実現が可能である。本実施例では、回転処理用のメモリを不要とするまたは回転処理で使用するメモリの使用量を少なくするため、ＭＰＥＧ２ＣＯＤＥＣ５で使用するメモリ８の制御の一部を改良することで、回転処理を実現した場合について説明する。
【００３６】
ＭＰＥＧ２ＣＯＤＥＣ５においては、映像信号の１画面を８画素×８画素単位のブロックと呼ばれる単位で処理が行われている部分と、ブロックを数個まとめたマクロブロックと呼ばれる単位で処理が行われている部分とがある。ここで、回転処理をブロック、マクロブロックにそれぞれ適用することで、画面全体の回転処理を行うことが可能である。
【００３７】
具体的にＭＰＥＧ２方式におけるブロック処理とマクロブロック処理について図５を用いて説明する。図５は、ＭＰＥＧ２方式におけるブロック処理とマクロブロック処理の一実施例を示す。ＭＰＥＧ２方式のＭＰ＠ＭＬ（Ｍａｉｎ  Ｐｒｏｆｉｌｅ  ＠  Ｍａｉｎ  Ｌｅｖｅｌ）において、映像信号の１画面のサイズが水平７２０画素、垂直４８０画素の場合を例にとると、図５（Ａ）に示すように横長の画像となっており、輝度信号は１６画素×１６画素を１マクロブロックとしているので、１画面全体は、水平４５マクロブロック×垂直３０マクロブロックという構成となる。また、１マクロブロックは、図５（Ｂ）に示すように、水平２ブロック×垂直２ブロックで構成されている。さらに、１ブロックは、図５（Ｃ）に示すように、８画素×８画素で構成されている。ここで、色信号は８画素×８画素が１マクロブロックとなるが、輝度信号を同様に考えることが可能である。
【００３８】
映像の回転処理は、前述のようにデータを一度メモリに書き込み、それを順番を変えて読み出すことで実現できるので、通常は回転に必要なメモリとして、ＭＰＥＧ２ＣＯＤＥＣ用のメモリの他に別のメモリの追加が必要となるが、回転処理で使用するメモリの使用量が多くなってしまう。そこで、本実施例では、ブロック、マクロブロックという単位で回転処理を行うことにより、回転に使用するメモリを少なくすることが可能である。
【００３９】
図５、図６を使用して回転処理について詳しく説明する。なお、説明は簡単化するため、輝度信号について説明を行う。色信号についても同様の考え方で処理が可能である。
【００４０】
まず、回転処理を行わない通常処理についてを図５に示す。ＭＰＥＧ２の処理は画面の左上から順にマクロブロック毎に処理がされる。（ＭＢ１→ＭＢ２→ＭＢ３・・・の順）マクロブロックの中は、４つのブロックから構成されていて、Ｂ１、Ｂ２、Ｂ３、Ｂ４が図に示す順番に配置されている。ブロックの中は８画素×８画素で構成されていて、通常は左上から右下の順番にデータが並んでいる。（１→２→３→・・・の順）
これに対してブロック処理とマクロブロック処理を利用した映像の回転処理を行う場合の処理の一実施例を図６に示す。ここでは、横長の映像信号を縦長表示用の映像信号に回転処理する場合について説明する。まず、ブロック内の画素単位の並べ替え処理を行う。通常は図６（Ｄ）に示すように、左上から右下の順にデータが並んでいるが、これを図６（Ｃ）に示すように、左下から右上の順になるように並べ替えてデータを書き込んでいく。すなわち、左下から上方向に１→２→３→・・・の順にデータを書き込むことで、ブロック内の回転が行われる。
【００４１】
次に画素単位の回転処理が行われたブロックを、マクロブロックにおいてどう配置するかの順番を変えることで、マクロブロックにおける回転が実現できる。具体的には、図６（Ｂ）に示すように、回転処理済みのＢ１、Ｂ２、Ｂ３、Ｂ４ブロックを、左下から右上方向に図に示す順番で配置すれば、マクロブロックで回転された状態となる。このとき、各ブロック内は画素単位での回転がされたものであるため、マクロブロックとして見た場合でも、画素単位で回転がされている形となる。
【００４２】
最後に、画素単位で回転処理済みのマクロブロックを、画面全体の位置に対して、左下から順にＭＢ１→ＭＢ２→ＭＢ３→・・・の順に配置していく。これにより、最終的に画面全体を画素単位で回転することが可能である。尚、この後、上述したように縮小処理１７により縮小または削除と残りの部分を黒くする処理を行なう。
【００４３】
上記ブロックや、マクロブロックは、メモリ８に記憶されており、ブロック内の画素単位の回転処理や、ブロック単位の配置替えによる回転処理、マクロブロック単位の配置替えによる回転処理は、メモリ８のアドレス管理によって実現が可能である。そのため、回転処理に必要なメモリの量としては、ブロック内の画素単位の回転を行うための、６４画素の映像データを蓄えておくメモリのみで済み、これにより、回転処理に使用するメモリを少なくすることが可能である。
【００４４】
また、前述の縮小処理や、領域の削除、残りの部分の黒塗り等の処理は、画面全体を回転後に行っても良いが、マクロブロック単位、あるいはブロック単位に実施しても良い。
【００４５】
本実施例では、デジタルビデオカメラに適用した場合で説明したが、映像再生装置であれば本発明の範疇に含まれることは言うまでもない。すなわち、映像再生機能と表示画面と出力端子を持っている装置であれば良く、例えば、携帯電話、携帯情報端末、デジタルスチルカメラ、映像再生用のポータブル画像ビューアーであってもよい。
【００４６】
本実施例により、本体に縦型の表示画面を持つ映像再生装置において、テレビなどの外部表示機器を接続した場合には横横長の映像信号を自動的に出力することにより、ユーザーの手を煩わせることなく、外部表示機器への映像出力時に好適な映像を出力することが可能となる。これにより、表示方向を切換る手間が不要となり使い勝手が向上する。
【００４７】
また、これまでの実施例では、映像を撮影する際、横長画面として表示手段を用い、映像信号を再生する際、縦長画面として表示手段を用いていた。しかし、これとは、逆に映像を撮影する際、縦長画面として表示手段を用い、映像信号を再生する際、横長画面として表示手段を用いるようにしてもよい。このとき、縦長の表示画面を有する外部表示機器と接続した場合、縦長表示として表示手段に表示し、縦長表示として外部表示機器へ映像信号を出力する。これにより、表示方向を切り替える手間が不要となり使い勝手が向上する。
【００４８】
【発明の効果】
本発明により、使い勝手の向上した映像再生装置を提供することができる。
【図面の簡単な説明】
【図１】本発明をデジタルビデオカメラに適用した場合のブロック図の一実施例
【図２】再生時の縦長の表示画面への映像表示の一実施例
【図３】映像出力端子の接続検出による映像回転制御の処理フローチャートの一実施例
【図４】縦長の表示画面と横長の外部表示機器への映像表示の一実施例
【図５】ＭＰＥＧ２におけるブロック処理とマクロブロック処理の一実施例
【図６】ブロック処理とマクロブロック処理を利用した映像の回転処理の一実施例
【図７】本発明によるデジタルビデオカメラの外観図の一実施例
【符号の説明】
１…ＣＣＤ撮像素子
２…ＣＤＳ／ＡＧＣ／ＡＤＣ
３…カメラ信号処理
４…カメラ制御マイコン
５…ＭＰＥＧ２ＣＯＤＥＣ
６…システム内部バス
７…システムコントロールマイコン
８…メモリ
９…記録制御
１０…記録媒体
１１…ＬＣＤドライバ
１２…ＬＣＤパネル
１３…ＮＴＳＣエンコーダ
１４…映像出力端子
１５…端子挿抜検出
１６…回転処理
１７…縮小処理
１８…カメラ部
１９…マイクロフォン
２０…スピーカー
２１…操作キー
２２…表示画面
２３…記録開始／停止ボタン
【図１】
2005045296.tif 000003
【図２】
2005045296.tif 000004
【図３】
2005045296.tif 000005
【図４】
2005045296.tif 000006
【図５】
2005045296.tif 000007
【図６】
2005045296.tif 000008
【図７】
2005045296.tif 000009